(57)【特許請求の範囲】
【請求項１】
ステータ板と、前記ステータ板に固定された固定シャフトと、上記固定シャフトを中心にして前記ステータ板に固定されたリング状のコイルとを備えたステータと、
ディスク状記録媒体が搭載され、前記固定シャフトを中心に回転するターンテーブルと、上記コイルの内周面側に対向して前記ターンテーブルと一体に回転可能に支持されたリング状の第１マグネットと、前記コイルの外周面側に対向して前記ターンテーブルと一体に回転可能に支持されたリング状の第２マグネットとを有するロータと、
前記固定シャフトの外周面側に固定され、一端部に第１フランジが固定され、他端部に第２フランジが固定された第１スリーブと、前記第１スリーブの外周面と前記第１及び第２フランジの相対向する面に接して前記第１スリーブに対し回転自在に支持されて前記ターンテーブルに固定されるとともに、外周面に前記第１マグネットが固定された第２スリーブとを有する軸受けとを備え、
前記コイルに通電することで前記コイルに生じる磁界と、前記第１及び第２マグネットとの間に生じる磁界により、前記ロータを前記固定シャフトを中心にして回転させることを特徴とするスピンドルモータ。
【請求項２】
前記第２スリーブの内周面に接している前記第１スリーブの外周面と前記第２スリーブに接している前記第１フランジの面と前記第２スリーブに接している前記第２フランジの面には、ヘリングボーン溝が形成されており、前記第２スリーブの内周面と前記第１スリーブの外周面と前記第１フランジの面と前記第２フランジの面の間にはオイルが配置されている請求項１記載のスピンドルモータ。
【請求項３】
前記第１フランジと前記第２スリーブの隙間および前記第２フランジと前記第２スリーブの隙間には、前記オイル飛散防止部が形成されている請求項２記載のスピンドルモータ。
【請求項４】
ディスク状記録媒体が搭載されるターンテーブルを回転駆動するスピンドルモータを有する情報記録再生装置において、
前記スピンドルモータは、
ステータ板と、前記ステータ板に固定された固定シャフトと、上記固定シャフトを中心にして前記ステータ板に固定されたリング状のコイルとを備えたステータと、
ディスク状記録媒体が搭載され、前記固定シャフトを中心に回転するターンテーブルと、上記コイルの内周面側に対向して前記ターンテーブルと一体に回転可能に支持されたリング状の第１マグネットと、前記コイルの外周面側に対向して前記ターンテーブルと一体に回転可能に支持されたリング状の第２マグネットとを有するロータと、
前記固定シャフトの外周面側に固定され、一端部に第１フランジが固定され、他端部に第２フランジが固定された第１スリーブと、前記第１スリーブの外周面と前記第１及び第２フランジの相対向する面に接して前記第１スリーブに対し回転自在に支持されて前記ターンテーブルに固定されるとともに、外周面に前記第１マグネットが固定された第２スリーブとを有する軸受けとを備え、
前記コイルに通電することで前記コイルに生じる磁界と、前記第１及び第２マグネットとの間に生じる磁界により、前記ロータを前記固定シャフトを中心にして回転させることを特徴とするスピンドルモータを有する情報記録再生装置。
【請求項５】
前記第２スリーブの内周面に接している前記第１スリーブの外周面と前記第２スリーブに接している前記第１フランジの面と前記第２スリーブに接している前記第２フランジの面には、ヘリングボーン溝が形成されており、前記第２スリーブの内周面と前記第１スリーブの外周面と前記第１フランジの面と前記第２フランジの面の間にはオイルが配置されている請求項４記載のスピンドルモータを有する情報記録再生装置。
【請求項６】
前記第１フランジと前記第２スリーブの隙間および前記第２フランジと前記第２スリーブの隙間には、前記オイル飛散防止部が形成されている請求項５記載のスピンドルモータを有する情報記録再生装置。
【請求項７】
前記ステータは、前記情報記録再生装置の筐体の内部に固定されており、前記ステータ板は前記情報記録再生装置の筐体の一部を構成している請求項４記載のスピンドルモータを有する情報記録再生装置。
【請求項８】
前記ディスク状記録媒体は、ハードディスクである請求項４記載のスピンドルモータを有する情報記録再生装置。
【発明の詳細な説明】
【０００１】
【発明の属する技術分野】
本発明は、スピンドルモータおよびそのスピンドルモータを有する情報記録再生装置に関するものである。
【０００２】
【従来の技術】
情報記録再生装置として、例えばハードディスクドライブ装置は、その用途が拡大し、大型の記録装置やデスクトップ型のパーソナルコンピュータ用記録装置の他に、例えば、ノート型のパーソナルコンピュータやこれより小さいサイズの携帯用の端末機等の電子機器に使用されるようになっている。
最近においては、ＰＣ（Ｐｅｒｓｏｎａｌ  Ｃｏｍｐｕｔｅｒ）カード寸法と称されるＩＣ（Ｉｎｔｅｇｒａｔｅｄ  Ｃｉｒｃｕｉｔ）メモリカードやカード型のモデム程度の大きさを有するＰＣカード型のハードディスクドライブ装置が用いられ、このＰＣカード型のハードディスクドライブ装置は、必要に応じて使用者がノート型のパーソナルコンピュータや携帯用の端末機のＰＣカードスロットに抜き差しして使用される。
【０００３】
図１２と図１３は、従来のハードディスクドライブ装置に用いられているモータの構造を示している。
図１２のモータは、ロータ１０００とステータ１００１を有しており、ロータ１０００は、ディスク状記録媒体Ｄを有している。ロータ１０００は、ステータ１００１の軸１００２に対して、２組のボールベアリング１００３，１００４を用いて回転可能に支持されている。
図１３のモータの構造では、ロータ１０１０はディスク状記録媒体Ｄを有しており、ロータ１０１０は、ステータ１０１１の軸１０１２に対して、２組のボールベアリング１０１３，１０１４を用いて回転可能に支持されている。
【０００４】
【発明が解決しようとする課題】
従来のこのような構造のモータでは、次のような問題がある。
図１２のモータでは、ボールベアリング１００３，１００４が軸１００２の軸方向（スラスト方向）に並べて配置されている。このために、モータの軸方向の厚みＥ１を小さくすることができない。同様にして図１３のモータの構造においても、ボールベアリング１０１３，１０１４が軸方向に沿って配列されていることから、モータの軸方向の厚みＥ２も厚くなってしまう。
【０００５】
このことから、モータの厚みＥ１あるいは厚みＥ２の薄型化が困難である。更に、上述したようにいずれのモータの構造においても、２組のボールベアリングをスラスト方向に配置する構造であるので、外部からの衝撃が加わった場合の耐衝撃性に問題があり、ディスク状記録媒体への情報の記録又はディスク状記録媒体の情報を再生する動作に支障が生じる。
そこで本発明は上記課題を解消し、小型化と薄型化を図ることができ、高い回転トルクを得ることができるスピンドルモータおよびそのスピンドルモータを有する情報記録再生装置を提供することを目的としている。
【０００６】
【課題を解決するための手段】
本発明は、ステータ板と、前記ステータ板に固定された固定シャフトと、上記固定シャフトを中心にして前記ステータ板に固定されたリング状のコイルとを備えたステータと、ディスク状記録媒体が搭載され、前記固定シャフトを中心に回転するターンテーブルと、上記コイルの内周面側に対向して前記ターンテーブルと一体に回転可能に支持されたリング状の第１マグネットと、前記コイルの外周面側に対向して前記ターンテーブルと一体に回転可能に支持されたリング状の第２マグネットとを有するロータと、前記固定シャフトの外周面側に固定され、一端部に第１フランジが固定され、他端部に第２フランジが固定された第１スリーブと、前記第１スリーブの外周面と前記第１及び第２フランジの相対向する面に接して前記第１スリーブに対し回転自在に支持されて前記ターンテーブルに固定されるとともに、外周面に前記第１マグネットが固定された第２スリーブとを有する軸受けとを備え、前記コイルに通電することで前記コイルに生じる磁界と、前記第１及び第２マグネットとの間に生じる磁界により、前記ロータを前記固定シャフトを中心にして回転させるようにしたスピンドルモータである。
【０００７】
本発明に係るスピンドルモータは、ステータの固定シャフトが、ステータ板に固定されている。軸受けを構成する一端部に第１フランジが固定され他端部に第２フランジが固定された第１スリーブは、固定シャフトに固定されている。コイルは、固定シャフトを中心としたリング状に形成されてステータ板に固定されている。ロータを構成するディスク状記録媒体が搭載されるターンテーブルは、固定シャフトに対して軸受けを介して回転可能である。ロータの第１マグネットは、ターンテーブルと一体に回転可能に支持され、リング状のコイルの内周面に対向して配置されている。ロータの第２マグネットは、コイルの外周面側に対向してターンテーブルと一体に回転可能に支持されている。通電部がコイルに通電することで、コイルに生じる磁界と、第１及び第２のマグネットとの間に生じる磁界とにより、ロータを固定シャフトを中心としてステータに対して回転させる。これにより、第１マグネットと第２マグネットの間に生じる磁界とコイルに生じる磁界とによりロータをステータに対して回転でき、１つのマグネットを使用するのに比べて、高い回転トルクを得ることができる。しかも、リング状の第１マグネットとリング状の第２マグネットは、固定シャフトを中心としてコイルの内側と外側にそれぞれ配置されており、第１マグネットと第２マグネットおよびコイルは周対向構造である。これにより、固定シャフトの軸方向に関する長さを大きくしなくても、上述したように高い回転トルクを得ることができ、高い回転トルクを得てもスピンドルモータの軸方向に関する小型化および薄型化が図られる。
【０００９】
また、本発明は、前記第２スリーブの内周面に接している前記第１スリーブの外周面と前記第２スリーブに接している前記第１フランジの面と前記第２スリーブに接している前記第２フランジの面には、ヘリングボーン溝が形成されており、前記第２スリーブの内周面と前記第１スリーブの外周面と前記第１フランジの面と前記第２フランジの面の間にはオイルが配置されている。このように、ヘリングボーン溝が形成されることにより、ロータがステータに対して回転する時に動圧を発生することでロータがステータに対して軸受けを介して回転する際の回転を良好にすることができ、回転精度の向上、長寿命化、低騒音化、耐衝撃性の向上を図ることができる。
【００１０】
さらに、本発明は、前記第１フランジと前記第２スリーブの隙間および前記第２フランジと前記第２スリーブの隙間に、前記オイル飛散防止部を形成しているので、軸受けに介在されているオイルがディスク状記録媒体側に飛散するのを防ぐことができる。
【００１１】
また、本発明は、ディスク状記録媒体が搭載されるターンテーブルを回転駆動するスピンドルモータを有する情報記録再生装置であり、この情報記録再生装置に用いられるスピンドルモータは、ステータ板と、前記ステータ板に固定された固定シャフトと、上記固定シャフトを中心にして前記ステータ板に固定されたリング状のコイルとを備えたステータと、ディスク状記録媒体が搭載され、前記固定シャフトを中心に回転するターンテーブルと、上記コイルの内周面側に対向して前記ターンテーブルと一体に回転可能に支持されたリング状の第１マグネットと、前記コイルの外周面側に対向して前記ターンテーブルと一体に回転可能に支持されたリング状の第２マグネットとを有するロータと、前記固定シャフトの外周面側に固定され、一端部に第１フランジが固定され、他端部に第２フランジが固定された第１スリーブと、前記第１スリーブの外周面と前記第１及び第２フランジの相対向する面に接して前記第１スリーブに対し回転自在に支持されて前記ターンテーブルに固定されるとともに、外周面に前記第１マグネットが固定された第２スリーブとを有する軸受けとを備え、前記コイルに通電することで前記コイルに生じる磁界と、前記第１及び第２マグネットとの間に生じる磁界により、前記ロータを前記固定シャフトを中心にして回転させる。
【００１２】
本発明に係るスピンドルモータを有する情報記録再生装置は、ステータの固定シャフトが、ステータ板に固定されている。軸受けを構成する一端部に第１フランジが固定され他端部に第２フランジが固定された第１スリーブは、固定シャフトに固定されている。コイルは、固定シャフトを中心としたリング状に形成されてステータ板に固定されている。ロータを構成するディスク状記録媒体が搭載されるターンテーブルは、固定シャフトに対して軸受けを介して回転可能である。ロータの第１マグネットは、ターンテーブルと一体に回転可能に支持され、リング状のコイルの内周面に対向して配置されている。ロータの第２マグネットは、コイルの外周面側に対向してターンテーブルと一体に回転可能に支持されている。通電部がコイルに通電することで、コイルに生じる磁界と、第１及び第２のマグネットとの間に生じる磁界とにより、ロータを固定シャフトを中心としてステータに対して回転させる。これにより、第１マグネットと第２マグネットの間に生じる磁界とコイルに生じる磁界とによりロータをステータに対して回転でき、１つのマグネットを使用するのに比べて、高い回転トルクを得ることができる。しかも、リング状の第１マグネットとリング状の第２マグネットは、固定シャフトを中心としてコイルの内側と外側にそれぞれ配置されており、第１マグネットと第２マグネットおよびコイルは周対向構造である。これにより、固定シャフトの軸方向に関する長さを大きくしなくても、上述したように高い回転トルクを得ることができ、高い回転トルクを得てもスピンドルモータの軸方向に関する小型化および薄型化が図られる。
【００１４】
また、本発明は、前記第２スリーブの内周面に接している前記第１スリーブの外周面と前記第２スリーブに接している前記第１フランジの面と前記第２スリーブに接している前記第２フランジの面には、ヘリングボーン溝が形成されており、前記第２スリーブの内周面と前記第１スリーブの外周面と前記第１フランジの面と前記第２フランジの面の間にはオイルが配置されている。このように、ヘリングボーン溝が形成されることにより、ロータがステータに対して回転する時に動圧を発生することでロータがステータに対して軸受けを介して回転する際の回転を良好にすることができ、回転精度の向上、長寿命化、低騒音化、耐衝撃性の向上を図ることができる。
【００１５】
さらに、本発明は、前記第１フランジと前記第２スリーブの隙間および前記第２フランジと前記第２スリーブの隙間に、前記オイル飛散防止部を形成しているので、軸受けに介在されているオイルがディスク状記録媒体側に飛散するのを防ぐことができる。
【００１６】
さらに、本発明は、スピンドルモータを有する情報記録再生装置において、前記ステータは前記情報記録再生装置の筐体の内部に固定され、前記ステータ板が前記情報記録再生装置の筐体の一部を構成しているので、部材数を減らし情報記録再生装置の小型化を図ることができる。
【００１７】
さらにまた、本発明に係るスピンドルモータを有する情報記録再生装置において、前記ディスク状記録媒体は、ハードディスクである。
【００１８】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１９】
図１は、本発明のスピンドルモータを有する情報記録再生装置の内部を示す平面図である。図２と図３は図１の情報記録再生装置の分解斜視図である。図４は、図１〜図３に示す情報記録再生装置の断面構造例である。
図１〜図４に示す情報記録再生装置は、一例としてハードディスクドライブ装置である。このハードディスクドライブ装置１は、ディスク状記録媒体Ｄに対して磁気的に情報を記録したり、あるいはすでにディスク状記録媒体Ｄに記録されている情報を磁気的に再生する機能を有している。
このハードディスクドライブ装置１は、たとえば電子機器の一例であるいわゆるノート型パーソナルコンピュータのＰＣカードスロットに装着して使用するものであり、非常に小型でかつ薄型化の装置である。
【００２０】
ハードディスクドライブ装置１は、図２と図３に示すように概略的には筐体（外筐ともいう）２、ディスク状記録媒体Ｄ、スピンドルモータ３、回動型アクチュエータ４等を有している。筐体２は、第１部材（上筐体ともいう）１０と、第２部材（下筐体ともいう）１２を有している。第１部材１０と第２部材１２は、たとえば図４に示すように内部に空間１１を有している。この空間１１の中には、スピンドルモータ３やディスク状記録媒体Ｄ、回動型アクチュエータ４等が収容されている。
第１部材１０と第２部材１２は、スピンドルモータ３の磁気回路を構成するために透磁性材料、たとえば珪素鋼板や鉄板等により作られている。
ディスク状記録媒体Ｄは、図４に示すようにスピンドルモータ３のロータＲ側に固定されており、ロータＲはディスク状記録媒体Ｄを連続回転させる。
【００２１】
図１に示すように、２つの回動型アクチュエータ４は、サスペンション２０、ボイスコイル２２、２つの磁気ヘッド２４等を有している。サスペンション２０の基部２６は、軸２８に取り付けられている。この軸２８は第２部材１２の内面に対して回転可能に支持されている。
図３に示すボイスコイル２２と図３に示すマグネット２９，３０との間に生じる電磁力により、回動型アクチュエータの磁気ヘッド２４は、図１と図２のＦ方向に揺動可能であり、磁気ヘッド２４，２４が回転するディスク状記録媒体Ｄの任意のトラックに対して位置決めすることで磁気的に情報信号の記録を行ったりあるいはすでに記録された情報を磁気的に再生することができる。磁気ヘッド２４は、たとえばＧＭＲ（ジャイアント磁気抵抗効果素子）等を採用することができる。
【００２２】
図１に示すハードディスクドライブ装置１では、図４に示す筐体２の第１部材１０が第２部材１２から取り除かれた状態を示しており、内部のディスク状記録媒体Ｄや回動型アクチュエータ４等が露出している。第２部材１２の端部には、コンピュータ等に対して電気的に接続するための接続端子３５が設けられている。
図１に示すように回路基板３７が、ディスク状記録媒体Ｄを避ける位置であって、図４に示す空間１１の中に配置されている。この回路基板３７には、システムＬＳＩ（大規模集積回路）３９やＩＣ（集積回路）等の一般の電子部品等が配置されている。
【００２３】
次に、スピンドルモータ３の構造について説明する。
スピンドルモータ３は、図４に示すように、筐体２の中に配置されており、特にスピンドルモータ３のステータＳは第２部材１２の内面に固定されている。図４に示すようにスピンドルモータ３は、ロータＲとステータＳを有している。
図５は、図４のスピンドルモータ３の断面構造例を示している。
まずスピンドルモータ３のロータＲの構造について説明する。
ロータＲは、概略的には、ターンテーブル５０、チャック５２、リング状の第１マグネット６０、リング状の第２マグネット６２、第２スリーブ６４を有している。
【００２４】
ロータＲは、ステータＳの固定シャフト６６に対して回転軸ＣＬを中心として後で説明する軸受け９０を介在させて回転可能になっている。ターンテーブル５０は、たとえばステンレス鋼、一例としてＳＵＳ４３０Ｆにより作られている。このターンテーブル５０は全周にわたってディスク状記録媒体Ｄを固定するためのハブ５１を有している。このハブ５１は、ターンテーブル５０の周囲に沿ってほぼ断面Ｌ字形に形成されている。
【００２５】
ターンテーブル５０は中央部に円形の穴５０Ｈを有している。ターンテーブル５０はロータヨークとも呼んでおり、図５の断面で見てほぼＵ字形あるいはカップ形になっている。ターンテーブル５０は穴５０Ｈの近くにリブ５０Ｒが全周に亘って形成されている。
ロータＲをステータＳに対して駆動するための第１マグネット６０と第２マグネット６２は、ターンテーブル５０の内側の空間５０Ｓ内に対面して位置している。
【００２６】
図６は第１マグネット６０と第２マグネット６２を示している。第１マグネット６０は、たとえばＳ極とＮ極が交互に合計８極円周方向に沿って形成されている。同様にして第２マグネット６２は、円周方向に沿ってＳ極とＮ極が合計８極形成されている。第１マグネット６０がＳ極である場合には、このＳ極に対面する第２マグネット６２の部分には、Ｎ極が形成されている。また第１マグネット６０のＮ極に対面して第２マグネット６２のＳ極が対面している。
リング状の第１マグネット６０の直径は、リング状の第２マグネット６２の直径よりも小さく設定されている。
【００２７】
図５に示すように第１マグネット６０と、第２マグネット６２の間には、ステータＳ側のコイル６８とコア７０が位置している。このようにして第１マグネット６０と第２マグネット６２は、周対向構造であり、しかもコイル６８とコア７０を挟んでコイル６８に対してもそれぞれ周対向に配置されている。
第１マグネット６０と第２マグネット６２は、たとえばラバーマグネット、プラスチックマグネットあるいは焼結磁性体マグネットであってもよい。
用いる磁性体としては、フェライト、ネオジマグネットもしくはサマコバ（飽和磁化、異方性が大きく、大きいエネルギー積が得られる）等を採用することができる。
【００２８】
図６に示すように第１マグネット６０と第２マグネット６２は、中心軸ＣＬを中心として同心円状に配置されている。
内側の第１マグネット６０は、第２スリーブ６４のスリーブ部分６４Ａとスリーブ部分６４Ｂに対して挟まれるように固定されている。この場合に第１マグネット６０は圧入や接着等により第２スリーブ６４に一体化して固定することができる。これに対して、第２マグネット６２は、ハブ５１の内側の段部５１Ａのところにたとえば接着あるいは圧入等により固定されている。
【００２９】
図５の第２スリーブ６４はスリーブ部分６４Ａとスリーブ部分６４Ｂを有している。これらのスリーブ部分６４Ａ、スリーブ部分６４Ｂは、たとえばステンレス鋼、一例としてＳＵＳ４４０Ｃにより作られている。スリーブ部分６４Ａ，６４Ｂは、第１マグネット６０の外周面と上面と下面を固定している。しかもスリーブ部分６４Ａの部位６４Ｃは、ターンテーブル５０のリブ５０Ｒの内側にたとえば圧入や接着により固定されている。スリーブ部分６４Ａの部位６４Ｃは中心軸ＣＬに沿って上方向に突出している。スリーブ部分６４Ｂの部位６４Ｄは中心軸ＣＬに平行に下方に突出している。
【００３０】
図５に示すターンテーブル５０のハブ５１には、ディスク状記録媒体Ｄが装着されている。このディスク状記録媒体Ｄはチャック５２を用いてハブ５１に対して外れないように固定されている。このチャック５２は、ターンテーブル５０のハブ５１の部分に対してネジ止めあるいは圧入もしくは接着あるいは溶接等により固定することができる。
【００３１】
次に、図５のスピンドルモータ３のステータＳの構造について説明する。
図５においてステータＳは、概略的には固定シャフト６６、コイル６８、コア７０、第１スリーブ７２、第１フランジ７４、第２フランジ７６、ステータ板８０を有している。ステータ板８０は、図４に示す筐体２の第２部材１２の一部を構成しており一体的に固定されている。ステータ板８０は、たとえば鉄板やケイ素鋼板により作られている。
【００３２】
コア７０はケイ素鋼板を複数枚重ねて形成されており、コイル６８はこのコア７０に所定回数巻かれている。コイル６８は、上述したように第１マグネット６０と第２マグネット６２の間において所定の隙間をおいて周対向する位置に配置されている。図７はコア７０と第１マグネット６０および第２マグネット６２を示す平面図である。図８は、第１マグネット６０と第２マグネット６２およびコア７０とコイル６８を示している平面図である。コイル６８とコア７０は、中心軸ＣＬを中心として円周上に等しい角度ごとに６スロット配置されている。
【００３３】
図５に示すコア７０は、筐体２の第２部材１２の取付部８６に対して固定されている。つまりコア７０は第２部材１２側に一体的に固定されている。
ステータ板８０と第２部材１２は、鉄板やケイ素鋼板やその他の金属でもよくあるいは樹脂であっても構わない。
【００３４】
固定シャフト６６は、円筒状の部材であり上端部にはフランジ部６６Ａが形成されている。固定シャフト６６はたとえばステンレス鋼、一例としてＳＵＳ３０３により作られている。
第１スリーブ７２は円筒状の部材であり、たとえばステンレス鋼、ＳＵＳ４４０Ｃにより作られている。第１スリーブ７２の内周面は固定シャフト６６の外周面に対してたとえば圧入により固定されている。
【００３５】
第１フランジ７４と第２フランジ７６はそれぞれリング状の部材であり、第１フランジ７４の穴７４Ａには固定シャフト６６の外周面がたとえば圧入により固定されている。同様にして第２フランジ７６の穴７６Ａにも固定シャフト６６の外周面がたとえば圧入により固定されている。第１フランジ７４は固定シャフト６６のフランジ６６Ａの内面に密着している。第２フランジ７６は、固定シャフト６６の下端部に位置しており、第２フランジ７６の突部はステータ板８０の穴に対して圧入により固定されている。
【００３６】
次に、図５に示す軸受け９０について説明する。
この軸受け９０は、ロータＲをステータＳの固定シャフト６６を中心として回転できるようにするために設けられている。
軸受け９０は、図９においてより拡大して示している。軸受け９０は、ステータＳ側の第１スリーブ７２、第１フランジ７４および第２フランジ７６の組立ユニットと、ロータＲ側の第２スリーブ６４のユニットにより構成されている。
【００３７】
図９において、第１スリーブ７２の外周面９２と第１フランジ７４の内周面９４および第２フランジ７６の内周面９６には、それぞれヘリングボーン溝１１０と１２０が形成されている。ヘリングボーン溝１１０は、第１スリーブ７２の外周面９２に形成されている。Ｖ字型のヘリングボーン溝１２０は、第１フランジ７４の内周面９４と第２フランジ７６の内周面９６にそれぞれ形成されている。
【００３８】
図１０（Ａ）は第１スリーブ７２の外周面９２に形成されたヘリングボーン溝１１０の例を示している。図１０（Ｂ）は、第１フランジ７４と第２フランジ７６の内面９４，９６に形成されたヘリングボーン溝１２０の例を示している。図１０（Ａ）におけるヘリングボーン溝１１０は、Ｒ方向に掘って形成された溝であり、図１０（Ｂ）におけるヘリングボーン溝１２０は、スラスト方向にそって形成された溝である。
【００３９】
図９の第１スリーブ７２の外周面９２と第１フランジ７４と第２フランジ７６の内周面９４，９６の範囲において、潤滑用のオイルが充填されている。これにより、ロータＲがステータＳに対して回転する場合には、第２スリーブ６４のスリーブ部分６４Ａ，６４Ｂが、中心軸ＣＬを中心として回転することにより、スリーブ部分６４Ａ，６４Ｂは、ステータＳ側の第１スリーブ７２と第１フランジ７４および第２フランジ７６に対してヘリングボーン溝を用いて動圧を発生させることができる。すなわち軸受け９０は、動圧流体軸受け構造になっている。
第１スリーブ７２と第２スリーブ６４および第１フランジ７４と第２フランジ７６は、たとえば真鍮、ステンレス鋼あるいは鉄鋼系の焼結メタル等で作ることができる。
【００４０】
ところで、外周面９２と内周面９４，９６にオイルが充填されているので、ロータＲがステータＳに対して回転する時に、このオイルＯＩＬがこの軸受け９０の間から外部に飛散してディスク状記録媒体側に付着するのを防がなければならない。
この対策として、図９に示すようにオイル飛散防止部１４０が設けられている。このオイル飛散防止部１４０は、スリーブ部分６４Ａの部位６４Ｃとスリーブ部分６４Ｂの部位６４Ｄの内周面に設けられている。オイル飛散防止部１４０はたとえばフッ素コーティング等を用いることができる。
これによって、ロータＲが回転する時に、第１フランジ７４とターンテーブル５０の間と第２フランジ７６とターンテーブル５０の間から漏れ出そうとするオイルＯＩＬは、図９に示すようにこのフッ素コーティング等のようなオイル飛散防止部１４０により弾かれて、オイルＯＩＬは第１フランジ７４の外周面と部位６４Ｃの間からは外部に飛散しないようにする。同様にして第２フランジ７６の外周面と部位６４Ｄの間からもオイルＯＩＬは外部に飛散しないようになっている。このことから、軸受け９０の中からはオイルは外部に飛散せずに、ディスク状記録媒体Ｄ等に対してオイルが付着するようなトラブルを完全に防ぐことができる。
【００４１】
図５に示すように、各コイル６８は、通電部１００に対して電気的に接続されており、通電部１００は、所定の通電パターンで各コイル６８に対して電流を供給することにより、コイル６８が発生する磁界と、第１マグネット６０と第２マグネット６２の間で発生する磁界の相互作用により、ロータＲとともにディスク状記録媒体Ｄが固定シャフト６６を中心として連続回転する。
この場合に、図１に示す回動型アクチュエータ４が揺動することにより、サスペンション２０の磁気ヘッド２４がディスク状記録媒体Ｄの一方の面と他方の面に対してたとえば接触しない状態で、磁気的に情報の記録を行ったりあるいは磁気的に情報の再生を行うことができる。
しかしこれに限らず、磁気ヘッド２４が、ディスク状記録媒体Ｄの一方の面と他方の面にそれぞれ接触しながら磁気的に情報を記録したりあるいは磁気的に再生を行うようにしても勿論構わない。
【００４２】
図１１は、本発明のさらに別の実施の形態を示している。図１１の実施の形態は、図５の実施の形態に比べて、チャックの取り付け方が異なる。図１１の実施の形態のチャックの取り付け方以外の部分は、図５の実施の形態における対応する部分と同じであるので、図５の実施の形態の説明をそのまま利用し同じ符号を記すことにする。
【００４３】
図５の実施の形態ではチャック５２はハブ５１に対して固定されている形式を採用しているが、図１１の実施の形態では、チャック５２は、断面Ｕ字型の円板状のものであり、取付部分５２Ｅは、取付ネジ１６０により固定シャフト６６のメネジ１６４に対して着脱可能に取り付けるようになっている。これによって、ネジ１６０を固定シャフト６６のメネジ１６４から取り除けば、チャック５２を外してディスク状記録媒体をターンテーブル５０に対して交換することができる。
【００４４】
上述した本発明の実施の形態では、次のような特徴を有している。
たとえば図５を参照すると、特に特徴的なのは、回転駆動用に用いる第１マグネット６０と第２マグネット６２が、中心軸ＣＬを中心として同心円状に間隔をおいて配置されていることである。すなわち、第１マグネット６０と第２マグネット６２は、中心軸ＣＬに対して直交する方向に関して間隔をおいて配列されている。つまり第１マグネット６０と第２マグネット６２は、中心軸ＣＬに沿って積み重ねて配置されている訳ではない。従って、第１マグネット６０と第２マグネット６２を配置しても、中心軸ＣＬに沿った方向のスピンドルモータ３の長さＬは極力小さくすることができる。
【００４５】
このように複数の第１マグネット６０と第２マグネット６２を、挟むようにして間隔をおいて周対向させることにより、１つのマグネットをコイルに対して面対向して配置する従来のものに比べて、たとえば回転時のトルクは約１．２〜２．０倍向上させることができる。
従って、ロータＲの回転時の回転トルクをより高くすることができる。つまりスピンドルモータ３の中心軸ＣＬ方向に関する小型化および薄型化を図ったとしても、高い回転トルクを発生するスピンドルモータ３を得ることができる。逆に、高い回転トルクを発生することができるので、従来の構造のモータで同じ回転トルクを発生させる場合に比べて、消費電力を低くすることができる。
【００４６】
また軸受け９０は、従来のボールベアリング形式のものではなく、中心軸ＣＬに関して長さＬを極力小さくすることができるとともに、コストダウンが図れる。つまり軸受け９０は、第１スリーブ７２と第２スリーブ６４および第１フランジ７４と第２フランジ７６を用いていわゆる動圧発生型のメタル軸受け構造にしているので、ボールを用いる必要がなく、構造の簡素化および小型化を図ることができるのである。
【００４７】
このように積もったスピンドルモータ３の長さＬを小さくすることができ、ディスク状記録媒体Ｄの一方の面と他方の面に対して情報を記録したりあるいは記録された情報を再生するのにこのスピンドルモータ３を使用することは最適である。このようにディスク状記録媒体Ｄの両面に対して記録再生を行うことができるので、高密度な磁気記録が可能であり、記録容量をアップすることができる。またディスク状記録媒体Ｄの非周期振れの低減を図ることができる。すなわち、従来のボールベアリング方式ではボールの大きさにバラツキがあるために、非周期振れは限界があったが、この動圧軸受方式ではロータがシャフトに対しオイルに浮いて回転するために、非周期振れは一桁良くなる。
また第１マグネット６０と第２マグネット６２を用いていて、上述したように回転トルクを高めることができるので、低騒音化が図れる。すなわち、動圧軸受を使用しているので、ロータがオイルに浮上回転しており、金属間接触がなくなるので、軸受からの騒音はなく、低騒音化が図れる。回転トルクを高めることにより、低騒音化が図れるのは、２個のマグネットの対向する極どうし（例えばＳ極に対しＮ極）が引き合う為に磁界が直交し、磁気バランスが改善される為である。
また軸受け９０はボールベアリングを用いておらず動圧発生型のメタル軸受け構造を採用しているので、外部からの衝撃に対して耐衝撃性を向上することができる。
【００４８】
ところで本発明のスピンドルモータおよび情報記録再生装置は、上述した実施の形態に限定されるものではない。
情報記録再生装置は、図示の実施の形態ではハードディスクドライブ装置であるが、これに限らず光ディスク装置あるいは光磁気ディスク装置であっても勿論構わない。従ってこの場合にはディスク状記録媒体Ｄは、ハードディスクではなく、光ディスク、あるいは光磁気ディスクである。
【００４９】
【発明の効果】
以上説明したように、本発明によれば、小型化と薄型化を図ることができ、高い回転トルクを得ることができる。
【図面の簡単な説明】
【図１】本発明のスピンドルモータを有する情報記録再生装置の一例であるハードディスクの内部を示す平面図。
【図２】図１のハードディスクの分解斜視図。
【図３】図２のハードディスクドライブ装置をさらに分解した図。
【図４】図１〜図３のハードディスクドライブの断面構造例を示す図。
【図５】図４に示すスピンドルモータの断面構造例を示す図。
【図６】第１マグネットと第２マグネットを示す斜視図。
【図７】第１マグネットと第２マグネットおよびコアを示す平面図。
【図８】第１マグネットと第２マグネットおよびコアとコイルを示す平面図。
【図９】図８のスピンドルモータの中心部分をより拡大して示す断面図。
【図１０】第１スリーブと第１および第２フランジのヘリングボーン溝の例を示す斜視図。
【図１１】本発明の別の実施の形態を示す断面図。
【図１２】従来のスピンドルモータの断面図。
【図１３】従来の別のスピンドルモータの断面図。
【符号の説明】
１・・・ハードディスクドライブ装置（情報記録再生装置の一例）、２・・・筐体、３・・・スピンドルモータ、１０・・・第１部材、１２・・・第２部材、５０・・・ターンテーブル、５２・・・チャック、６０・・・第１マグネット、６２・・・第２マグネット、６４・・・第２スリーブ、６６・・・固定シャフト、６８・・・コイル、７０・・・コア、７２・・・第１スリーブ、７４・・・第１フランジ、７６・・・第２フランジ、８０・・・ステータ板、１１０，１２０・・・ヘリングボーン溝、１４０・・・オイル飛散防止部、Ｄ・・・ディスク状記録媒体、Ｒ・・・ロータ、Ｓ・・・ステータ
【図１】
0003661853.tif 000002
【図２】
0003661853.tif 000003
【図３】
0003661853.tif 000004
【図４】
0003661853.tif 000005
【図５】
0003661853.tif 000006
【図６】
0003661853.tif 000007
【図７】
0003661853.tif 000008
【図８】
0003661853.tif 000009
【図９】
0003661853.tif 000010
【図１０】
0003661853.tif 000011
【図１１】
0003661853.tif 000012
【図１２】
0003661853.tif 000013
【図１３】
0003661853.tif 000014